(57)【要約】【課題】放熱性、熱伝導性、および磁気特性を確保しながら、アルミケースレスとでき、小型とコスト低下を図ることができるリアクトルを提供する。【解決手段】コア１が、コイル６が巻かれる中芯コア２と、上下面外郭コア３，４と、側面外郭コア５とで構成される。中芯コア２は、各部のコアの中で最も低損失の磁性材料からなる。上下面外郭コア３，４はが鉄系磁性材料からなる。側面外郭コア５は、各部のコアの中で最も直流重畳性に優れる磁性材料からなる。中芯コア２と上下面外郭コア３，４との間のいずれか一方または両方に磁気ギャップＧを構成するスペーサ７が設けられる。コイル６と側面外郭コア５との間には熱伝導部材８を設ける。【選択図】図１
2019009237.tif 000002
【特許請求の範囲】
【請求項１】
中芯コアと、この中芯コアの上下の端面にそれぞれ対向し前記中芯コアの外周に広がる一対の上下面外郭コアと、前記中芯コアの外周を囲み前記両上下面外郭コアの外周縁間に介在する側面外郭コアと、前記中芯コアの外周に設けられたコイルとを備えるリアクトルであって、
前記中芯コアが、少なくとも前記側面外郭コアよりも磁気損失が低損失の磁性材料からなり、
前記上下面外郭コアが鉄系磁性材料からなり、
前記側面外郭コアが、前記中芯コアおよび前記上下面外郭コアよりも直流重畳性に優れる磁性材料からなる、
リアクトル。
【請求項２】
請求項１に記載のリアクトルにおいて、前記中芯コアと前記一対の上下面外郭コアとの間のいずれか一方または両方に磁気ギャップが設けられたリアクトル。
【請求項３】
請求項１または請求項２に記載のリアクトルにおいて、前記コイルと前記側面外郭コアとの間に非電導性の熱伝導部材を備えるリアクトル。
【請求項４】
請求項３に記載のリアクトルにおいて、前記熱伝導部材がシリコーン系の熱伝導樹脂であるリアクトル。
【請求項５】
請求項１ないし請求項４のいずか１項に記載のリアクトルにおいて、前記中芯コアが、鉄系アモルファスの圧縮成形品であるリアクトル。
【請求項６】
請求項１ないし請求項５のいずか１項に記載のリアクトルにおいて、前記上下面外郭コアが、純鉄系磁性材料であるリアクトル。
【請求項７】
請求項１ないし請求項５のいずか１項に記載のリアクトルにおいて、前記上下面外郭コアが、鉄合金系磁性材料であるリアクトル。
【請求項８】
請求項１ないし請求項５のいずか１項に記載のリアクトルにおいて、前記上下面外郭コアが、フェライト系磁性材料であるリアクトル。
【請求項９】
請求項１ないし請求項８のいずか１項に記載のリアクトルにおいて、前記側面外郭コアが、鉄系アモルファスの射出形成品であるリアクトル。
【請求項１０】
請求項１ないし請求項９のいずか１項に記載のリアクトルにおいて、いずれか一方の前記上下面外郭コアが冷却板に押し付け状態となるように、このリアクトルの全体が前記冷却板に止具で止め付けられるリアクトル。
【発明の詳細な説明】
【技術分野】
【０００１】
この発明は、ハイブリッド車や電気自動車等の走行駆動源として電導モータを備える自動車分野、ソーラーパネル等の自然エネルギー分野、医療分野、または産業機械分野等に利用できるアルミケースレスのリアクトルに関する。
【背景技術】
【０００２】
従来、リアクトルとして、放熱板への熱伝導性を高め、放熱効果を高める目的でアルミケース（筐体）に入れたものが一般的に使われている（例えば、特許文献１）。
【先行技術文献】
【特許文献】
【０００３】
【特許文献１】特開２０１１−２３８６９９号公報
【発明の概要】
【発明が解決しようとする課題】
【０００４】
従来のアルミケース付きリアクトルは、次の問題があった。
・アルミケースがあるために、容積が増え、リアクトルの小型化が困難である。
・アルミケースがあるために、リアクトル全体のコストが増え、コスト低下を図ることが難しい。
【０００５】
上記の対策として、単にアルミケースを省くことが検討された。
しかし、単にアルミケースを省いただけでは、冷却板への熱伝導性が低下し、放熱性に劣ることになって、所望の磁気特性のリアクトルを得ることができない。
【０００６】
この発明は、上記した点に鑑み、放熱性、熱伝導性、および磁気特性を確保しながら、アルミケースレスとでき、小型化とコスト低下を図ることができるリアクトルを提供することである。
【課題を解決するための手段】
【０００７】
この発明のリアクトルは、中芯コアと、この中芯コアの上下の端面にそれぞれ対向し前記中芯コアの外周に広がる一対の上下面外郭コアと、前記中芯コアの外周を囲み前記一対の上下面外郭コアの外周縁間に介在する側面外郭コアと、前記中芯コアの外周に設けられたコイルとを備えるリアクトルであって、
前記中芯コアが、少なくとも前記側面外郭コアよりも磁気損失が低損失の磁性材料からなり、
前記上下面外郭コアが鉄系磁性材料からなり 、
前記側面外郭コアが、前記中芯コアおよび前記上下面外郭コアよりも直流重畳性に優れる磁性材料 からなる。
必要に応じて磁気ギャップを設ける場合には、前記中芯コアと前記一対の上下面外郭コアとの間のいずれか一方または両方に磁気ギャップを設ける。
なお、前記中芯コアは、熱伝導に問題がなければ、前記側面外郭コアと同じ材料であってもよい。前記中芯コアの材料は、低損失でかつ高透磁率となるほど望ましい。また、前記側面外郭コアは、直流重畳性に優れる他に、透磁率が低いことが好ましい。
【０００８】
この構成によると、コアの上下面を構成する上下面外郭コアが鉄系磁性材料であるため、鉄系磁性材料の持つ優れた熱伝導性により、コイルに生じる熱が上下面外郭コアに伝わって効率良く放熱される。例えば冷却板上に下側の上下面外郭コアの下面で接して設置されることで、効率良く放熱させることができる。鉄系磁性材料は磁気特性にも優れる。
前記中芯コアは、リアクトルの内部に位置するため、磁束の発生および通過に伴って発生するコアロスによる発熱が問題となるが、磁気損失が低損失の磁性材料を選定したため、発熱を極力抑えることができる。
側面外郭コアに、透磁率の低い磁性材料を用いることで直流重畳特性を向上できる。重畳特性の確保に磁気ギャップが必要な場合でも磁気ギャップ量を低減でき、磁気ギャップからの漏れ磁束による損失増加やノイズ発生等の悪影響を軽減できる。                  前記磁気ギャップは、これを設けることで磁気抵抗を調整し、磁気飽和を防ぐことができ、これにより、より小型化でき、磁気特性を満足させることができる。
このリアクトルは、このようにコアの全体を中芯コア、上下面外郭コア、および側面外郭コアに分割し、各部位のコアにつき磁気特性を確保しながら、部位に応じて重要となる特性を考察し材質を選定したため、上記のように放熱性および磁気特性を確保しながら、アルミケースレスとできて、小型化とコスト低下を図ることができる。
【０００９】
この発明において、前記コイルと前記側面外郭コアとの間に非電導性の熱伝導部材を備えるようにしても良い。
コイルと側面外郭コアとの間に熱伝導部材が介在することで、コイルの発熱は前記熱伝導部材を通じて効率的に逃がされる。また、側面外郭コアの発熱が、熱伝導部材を通って上下面外郭コアに伝達され、放熱される。これらのため、リアクトルの放熱性がより向上する。また、熱伝導部材が非電導性の部材であるため、コイルと側面外郭コアとの間の絶縁部材を兼ね、固体絶縁にできるため、絶縁に必要な空間距離を低減でき小型化できる。
【００１０】
前記熱伝導部材はエポキシ系やシリコーン系の熱伝導樹脂であっても良い。
特にシリコーン系の熱伝導樹脂は、熱伝導性と電気絶縁性との両方に優れ、かつ耐熱性にも優れるため、コイルと側面外郭コアとの間に介在させる熱伝導部材として好ましい。
【００１１】
前記中芯コアは、鉄系アモルファスやFe-Si-Al合金、Fe-Si合金の圧縮成形品であっても良い。
特に鉄系アモルファスやFe-Si-Al合金の圧縮成形品は、磁性材料のうちでも低損失な材料であり、そのためこれらの圧縮成形品を中芯コアに用いることで、発熱がより抑えられる。
【００１２】
前記上下面外郭コアは、純鉄系磁性材料であっても良い。
特に純鉄系磁性材料は、飽和磁束密度、透磁率が高く磁気特性に優れ、かつ放熱性にも優れる。そのため、純鉄系磁性材料を上下面外郭コアに用いることで、発熱がより抑えられ、また放熱性に優れ、磁気特性にも優れたリアクトルとなる。
【００１３】
前記上下面外郭コアは、鉄合金系磁性材料であっても良い。
例えばシリコーン配合量が少なく鉄成分の多いFe-3Si合金等の鉄合金系磁性材料も、純鉄系磁性材料には劣るものの飽和磁束密度、透磁率が高い材料であり、鉄損も低いことから発熱が抑えられ、かつ放熱性にも優れ、上下面外郭コアの材質として好ましい。
【００１４】
前記上下面外郭コアは、フェライト系磁性材料であっても良い。
フェライト系磁性材料は、鉄損が低くて磁気特性に優れ、かつ放熱性にも優れ、上下面外郭コアの材質として好ましい。
【００１５】
前記側面外郭コアには、適切な範囲で透磁率が低いことが求められるため、樹脂バインダ中に磁性粉を分散させた材料であっても良い。特に前記磁性粉は鉄系アモルファスであっても良い。特に側面外郭コアには巻線の引き出し窓や組み立ての際の各部品の位置決め用の凹凸を設ける場合がるため、成形自由度の高い射出成形品が好ましい。このような鉄系アモルファスの射出形成品は、低損失な鉄系アモルファス磁性粉を用いているため鉄損が低く、発熱が抑えられる。
【００１６】
この発明のリアクトルにおいて、いずれか一方の前記上下面外郭コアが冷却板に押し付け状態となるように、このリアクトルの全体が前記冷却板に止具で止め付けられていても良い。
上下面外郭コアが冷却板に押し付け状態となることで、熱伝導性が向上し、リアクトルのより一層優れた放熱性が得られる。
さらに、前記冷却板と本発明のリアクトルの間には、放熱性を向上させるためにシリコーングリースなどのグリースやシリコーンジェルなどのゲル材を介在させても良い。
【発明の効果】
【００１７】
この発明のリアクトルは、中芯コアと、この中芯コアの上下の端面にそれぞれ対向し前記中芯コアの外周に広がる一対の上下面外郭コアと、前記中芯コアの外周を囲み前記両上下面外郭コアの外周縁間に介在する側面外郭コアと、前記中芯コアの外周に設けられたコイルとを備えるリアクトルであって、前記中芯コアが、少なくとも前記側面外郭コアよりも磁気損失が低損失の磁性材料からなり、前記上下面外郭コアが鉄系磁性材料からなり、前記側面外郭コアが、前記中芯コアおよび前記上下面外郭コアよりも直流重畳性に優れる磁性材料からなるため、放熱性、熱伝導性、および磁気特性を確保しながら、アルミケースレスとできて、小型とコスト低下を図ることができる。
【図面の簡単な説明】
【００１８】
【図１】この発明の第１の実施形態に係るリアクトルの断面図である。
【図２】図１のII−II線におけるコイル省略状態の断面図である。
【図３】この発明の他の実施形態に係るリアクトルの断面図である。
【図４】図３のIV−IV  線におけるコイル省略状態の断面図である。
【発明を実施するための形態】
【００１９】
この発明の第１の実施形態に係るリアクトルを、図１および図２と共に説明する。このリアクトルは、コア１が、中芯コア２と、コア１の上下面を構成する上下面外郭コア３，４と、コア１の側面を構成する側面外郭コア５とでポット型とされている。中芯コア２は円柱状である。上下面外郭コア３，４は、中芯コア２の上下の端面にそれぞれ対向し、中芯コア２の外周に広がっている。側面外郭コア５は、中芯コア２の外周を囲み、両上下面外郭コア３，４の外周縁間に介在する。側面外郭コア５は、必ずしも全周に連続していなくてもよく、一部に開口を有していてもよい。コイル６は、中芯コア２の外周に設けられている。
中芯コア２と下側の上下面外郭コア４との間には磁気ギャップＧを構成するスペーサ７が設けられている。コイル６と側面外郭コア５との間には非電導性の熱伝導部材８が設けられている。熱伝導部材８は、両端が両上下面外郭コア３，４に接するように設けることが好ましい。
【００２０】
前記上下面外郭コア３，４は円板状、側面外郭コア５および熱伝導部材８は円筒状、スペーサ７は中芯コア２と同径の円板状であり、いずれも円柱状の中芯コア２と同一軸心上に設置されている。上下面外郭コア３，４の中芯コア２との対向面には、それぞれ中芯コア２の上端およびスペーサ７の一部が嵌まる位置決め凹部９，１０が形成されている。このリアクトル１は、例えば自動車の放熱板１１（図１に一点鎖線のハッチングで示す）の上面に、下側の上下面外郭コア４の下面で接して設置される。
【００２１】
コイル６は、コイルボビン１２の外周に巻回されている。コイル６の巻線には、エッジワイズコイルが用いられている。コイル６の巻線は丸線でも良いが、エッジワイズコイルは断面が矩形であるため、丸線を用いた場合に比べて隙間が少なくなる。そのため、巻線占有率が高く、したがって小さい巻線スペースで巻けることができ、小型化に貢献できる。
コイルボビン１２は、円筒部１２ａの両端外周に鍔部１２ｂ，１２ｂを有し、コイルボビン１２と前記熱伝導部材８とでコイル６の全体を隙間なく覆っている。
【００２２】
各部材の材質例を説明する。
中芯コア２は、発熱を抑えるために磁気損失が低損失の磁性材料とされ、少なくとも上下面外郭コア３，４および側面外郭コア５よりも低損失の磁性材料とされる。
中芯コア２は、例えば鉄系アモルファスの圧縮成形品とされる。鉄系アモルファスの圧縮成形品の鉄損は、５０ｍＴ，１０ｋＨｚ時で５〜１０ｋＷ／ｍ３である。
【００２３】
前記中芯コア２の圧縮成形品は、軟磁性成形体であり、例えば、次の軟磁性複合粉末の成形品である。この軟磁性複合粉末は、この軟磁性体粉末の表面が無機絶縁性材料から成る無機絶縁層で被覆され、この無機絶縁層の表面にはこの軟磁性体粉末の表面を部分的に覆うように樹脂材料が融着されて成り、上記無機絶縁性材料が０．３〜６重量％、上記樹脂材料が３〜８重量％、そして残部が上記軟磁性粉末から成る。
無機絶縁性材料には、例えば、Ａｌ２Ｏ３、ＳｉＯ２、Ｙ２Ｏ３、ＭｇＯ、そしてＺｒＯ２等の絶縁性の金属又は半金属の酸化物、あるいはガラス材料、又はそれらの混合物を用いることができるが、ガラス材料が好ましい。ガラス材料の中でも、低融点ガラスが好ましい。低い軟化温度を有し、軟磁性非晶質合金に融着してその表面を被覆することができるからである。
【００２４】
前記軟磁性粉末には、より具体的には、（Ｆｅ０．９７Ｃｒ０．０３）７６（Ｓｉ０．５Ｂ０．２）２２Ｃ２の非晶質合金に低融点ガラス粉末（Ｐ２Ｏ５  ６０〜８０％、Ａｌ２Ｏ３  １０％以下、ＺｎＯ  １０〜２０％、Ｌｉ２Ｏ  １０％以下、Ｎａ２Ｏ  １０％以下、粒径４０μｍ以下）を粉末コーティング法でコーティングしたものが用いられる。樹脂粉末には熱硬化性樹脂であるエポキシ樹脂及び熱可塑性樹脂であるポリエチレンオキサイド、そして潤滑剤としてステアリン酸亜鉛が用いられる。なお、Ｆｅ−Ｃｒ−Ｓｉ−Ｂ−Ｃ系非晶質合金と樹脂粉末は篩により粒径を４５μｍ以下に調整したものが用いられる。
【００２５】
次の表１の試料No１〜９の配合例としても良い。
【表１】
2019009237.tif 000003
【００２６】
上下面外郭コア３，４は、鉄系磁性材料、例えば、純鉄系磁性材料、鉄合金系磁性材料、またはフェライト系磁性材料とされる。
前記純鉄系軟磁性材料としては、純鉄、メタル粉、窒化鉄粉等を用いることができる。純鉄の鉄損は５０ｍＴ，１０ｋＨｚ時で４０〜５０ｋＷ／ｍ３である。純鉄は、放熱性に優れ磁気特性に優れる。
前記鉄基合金系軟磁性材料としては、Ｆｅ−Ｓｉ−Ａｌ合金（センダスト）粉末、スーパーセンダスト粉末、Ｎｉ−Ｆｅ合金（パーマロイ）粉末、Ｃｏ−Ｆｅ合金粉末、純鉄系軟磁性材料、Ｆｅ−Ｓｉ−Ｂ系合金粉末等を用いることができる。
【００２７】
前記側面外郭コア５は、直流重畳性に優れる磁性材料であり、少なくとも、中芯コア２および上下面外郭コア３，４よりも直流重畳性に優れる磁性材料からなる。
側面外郭コア５は、具体例を挙げると、鉄系アモルファスの射出形成品が用いられる。  鉄系アモルファスの射出成型品の鉄損は、５０ｍＴ，１０ｋＨｚ時で３０〜４０ｋＷ／ｍ３である。
【００２８】
前記磁気ギャップＧを構成するスペーサ７には、例えば、ＰＰＳやＬＣＰ、その他種々の樹脂材料が用いられる。なお、磁気ギャップＧはこの実施形態ではスペーサ７を介在させているが、中芯コア２の位置決めのための部材であり、例えば中芯コア２を部分的な位置決め部で上下面外郭コア３，４に対して固定されるようにし、スペーサ７を省いて空洞として磁気ギャップＧを構成してもよい。
また、磁気ギャップＧは、この実施形態では中芯コア２と下側の上下面外郭コア３，４との間に設けているが、上下の上下面外郭コア３，４と中芯コア２との間のいずれか一方または両方に設ければ良い。磁気ギャップＧは、必ずしも設けなくてもよく、ギャップレスとしてもよい。
【００２９】
前記熱伝導部材８は、熱伝導と非電導性とを有する材料で構成される。熱伝導部材８には、例えばシリコーン系の高熱伝導性樹脂が用いられる。シリコーン系の高熱伝導性樹脂の熱伝導率は、０．６Ｗ／ｍ・Ｋ以上の物を用いることが好ましい。熱伝導部材８は、コイル６のコア１に対する絶縁性部材を兼ねている。
【００３０】
この構成のリアクトルは、次のように小型化とコスト低下を図りつつ放熱性/ 熱伝導性を向上させており、従来のアルミケース等の筐体が省略されることにより、小型化とコストダウンが図られる。
【００３１】
すなわち、コア１の上下面を構成する上下面外郭コア３，４を鉄系磁性材料としたため、鉄系磁性材料の持つ優れた熱伝導性により、コイル６に生じる熱が上下面外郭コアに伝わって効率良く放熱される。例えば冷却板１１上に下面の上下面外郭コア４で接して設置されることで、効率良く放熱させることができる。鉄系磁性材料は磁気特性にも優れる。コイル６が、図示の例のように鉄系磁性材料からなる上下面外郭コア３，４に近接して設置されている場合は、コイル６の熱が上下面外郭コア３，４に伝わり易く、より効率良く放熱される。
【００３２】
中芯コア２は、リアクトルの内部に位置するため、磁束の通過による発熱が問題となるが、各部のコア２，３，４，５の中で最も磁気損失が低損失の磁性材料を選定したため、発熱を極力抑えることができる。
側面外郭コアは、透磁率の低い磁性材料を用いることで直流重畳特性を向上できる。重畳特性の確保に磁気ギャップが必要な場合でも磁気ギャップ量を低減でき、磁気ギャップからの漏れ磁束による損失増加やノイズ発生等の悪影響を軽減できる。                
【００３３】
このリアクトルは、このように低損失化を図るために中芯コア２に低損失な磁性材料を用い、上下面を構成する上下面外郭コア３，４に放熱性の高い鉄系磁性部材を用い、さらに、側面を構成する側面外郭コア５に直流重畳特性が良い磁性材料を配置した。これらの部位に応じて重要となる特性を有する材料を組み合わせることで、小型化と低損失化を両立したアルミケースレスリアクトルを実現した。
【００３４】
さらに、スペーサ７を設けることで磁束密度を減らして磁気飽和を防ぐことで、より小型化出来、磁気特性を満足させることが出来る。その際、スペーサ７を設けることにより漏れ磁束が発生しコイル６の発熱が大きくなるため、スペーサ７を設けた側に放熱板１１を配置することが好ましい。
【００３５】
また、コイル６と側面外郭コア５との間に熱伝導部材８を設けているため、コイル６の発熱は熱伝導部材８を通じて逃がされる。また、側面外郭コア５の発熱が、熱伝導部材８を通って上下面外郭コア３，４に伝達され、放熱される。これらのため、リアクトルの放熱性がより向上する。また、熱伝導部材８が非電導性の部材であるため、コイル６と側面外郭コア５との間の絶縁部材を兼ね、別途に絶縁部材を設けることが不要となる。熱伝導部材８がシリコーン系の熱伝導樹脂である場合は、熱伝導性と電気絶縁性との両方により優れたものとなる。
【００３６】
中芯コア２は、鉄系アモルファスの圧縮成形品を用いているが、鉄系アモルファスの圧縮成形品は、磁性材料のうちでも低損失な材料であり、そのため発熱がより抑えられる。      
【００３７】
上下面外郭コア３，４は、純鉄系磁性材料を用いているため、鉄損が低くて磁気特性に優れ、かつ放熱性にも優れる。そのため、発熱がより抑えられ、また放熱性に優れ、磁気特性にも優れたリアクトルとなる。
上下面外郭コア３，４に鉄合金系磁性材料を用いた場合も、鉄損が低くて発熱が抑えられ、かつ放熱性にも優れたものとなる。
上下面外郭コア３，４にフェライト系磁性材料を用いた場合も、鉄損が低くて磁気特性に優れ、かつ放熱性にも優れたものとなる。
側面外郭コア５に鉄系アモルファスの射出形成品を用いた場合は、鉄損が低く、発熱がより抑えられる。
【００３８】
このリアクトルの設置は、種々な固定構造で固定対象物に取付けることができるが、いずれか一方の上下面外郭コア３，４が冷却板１１に押し付け状態となるように設置することが好ましい。上下面外郭コア３，４が冷却板１１に押し付け状態となることで、熱伝導性が向上し、リアクトルのより一層優れた放熱性がられる。
【００３９】
図３，４は、この発明の他の実施形態を示す。この実施形態では、コア１の中心を上下に貫通する取付孔１３を設けている。
このように設けられた取付孔１３に止具であるボルト１４を挿通し、その先端の雄ねじ部を、放熱板１１に設けられた雌ねじ部１５にねじ込み、締めつけることで、このリアクトルを下側の上下面外郭コア４で放熱板１５に押しつけ状態としている。このように押しつけ状態とすることで、放熱性を高めている。
この実施形態におけるその他の構成、効果は、第１の実施形態と同様である。
なお、図３，４の実施形態ではリアクトルを冷却板１１に固定する止具としてコア１の中心を貫通するボルトを用いたが、コア１の上面を抑える抑え板（図示せず）を用いることなどで、コア１を貫通させずにコア１の外周に離れた複数箇所に位置するボルト（図示せず）で冷却板１１に固定するようにしても良く、またボルト１４に変えて別の構成の止具を用いてもよい。
【００４０】
以上、実施例に基づいて本発明を実施するための形態を説明したが、ここで開示した実施の形態はすべての点で例示であって制限的なものではない。本発明の範囲は上記した説明ではなくて特許請求の範囲によって示され、特許請求の範囲と均等の意味および範囲内でのすべての変更が含まれることが意図される。
【符号の説明】
【００４１】
１…コア
２…中芯コア
３，４…上下面外郭コア
５…側面外郭コア
６…コイル
７…スペーサ
８…熱伝導部材
１１…冷却板
１２…コイルボビン
１３…取付孔
１４…ボルト（止具）
Ｇ…磁気ギャップ
【図１】
2019009237.tif 000004
【図２】
2019009237.tif 000005
【図３】
2019009237.tif 000006
【図４】
2019009237.tif 000007